(57)【要約】【課題】  設定情報入力シートを使用して電子機器を設定する場合、複雑な設定を行うことができ、また、複数の設定を同時に行うことができる設定情報入力装置、設定情報入力方法およびプログラムを提供することを目的とするものである。【解決手段】  設定情報入力シートを使用して電子機器を設定する場合、１つの設定情報入力シートによる設定が終わった後に、全ての設定が終了したかどうかを判断し、全ての設定が終了していないのであれば、次の設定情報入力シートによる設定を行うものである。【選択図】  図１
2006334907.tif 000002
【特許請求の範囲】
【請求項１】
電子機器の設定入力を行う設定情報入力装置において、
所定の設定項目について所定の設定情報を、設定情報入力作業者が加筆する設定情報入力シートを作成する設定情報入力シート作成手段と；
上記設定情報入力シートを印刷する印刷手段と；
上記設定情報入力作業者が加筆した上記設定情報入力シートを読み取り、記憶装置に記憶する読取手段と；
上記読取手段が読み取った情報に基づいて、設定情報を解析し、記憶装置に記憶する設定情報解析手段と；
上記解析された設定情報を、設定項目毎に識別し、上記電子機器を設定する電子機器設定手段と；
上記設定情報解析手段が解析した設定情報に基づいて、上記設定を全て終了したかどうかを判断する設定終了判断手段と；
上記設定終了判断手段が、上記設定を全て終了したと判断したら、設定情報入力シートを用いた上記一連の設定を終了し、一方、上記設定を全て終了したと判断しなければ、次に設定すべき設定情報入力シートを、上記設定情報入力シート作成手段に作成させる制御手段と；
を有することを特徴とする設定情報入力装置。
【請求項２】
請求項１において、
上記電子機器を設定する設定項目が複数、列挙されている設定情報入力シートである目次シートを用いて、複数種類の設定情報入力シートの中から、印刷すべき設定情報入力シートを、少なくとも１種類、選択する設定情報入力シート選択手段を有することを特徴とする設定情報入力装置。
【請求項３】
請求項１において、
上記読取手段は、光学的読取手段、磁気的読取手段、機械的読取手段のうちの少なくとも１つの手段であることを特徴とする設定情報入力装置。
【請求項４】
電子機器の設定入力を行う設定情報入力方法において、
所定の設定項目について所定の設定情報を、設定情報入力作業者が加筆する設定情報入力シートを作成する設定情報入力シート作成工程と；
上記設定情報入力シートを印刷する印刷工程と；
上記設定情報入力作業者が加筆した上記設定情報入力シートを読み取り、記憶装置に記憶する読取工程と；
上記読取工程で読み取った情報に基づいて、設定情報を解析し、記憶装置に記憶する設定情報解析工程と；
上記解析された設定情報を、設定項目毎に識別し、上記電子機器を設定する電子機器設定工程と；
上記設定情報解析工程が解析した設定情報に基づいて、上記設定を全て終了したかどうかを判断する設定終了判断工程と；
上記設定終了判断工程で、上記設定を全て終了したと判断されたら、設定情報入力シートを用いた上記一連の設定を終了し、一方、上記設定を全て終了したと判断されなければ、次に設定すべき設定情報入力シートを、上記設定情報入力シート作成工程で作成させる制御工程と；
を有することを特徴とする設定情報入力方法。
【請求項５】
請求項４において、
上記設定情報入力シート作成工程、上記印刷工程、上記読取工程、上記設定情報解析工程、上記電子機器設定工程、上記設定終了判断工程を順に実行し、上記設定終了判断工程において、全ての設定が終了していない場合、上記設定情報入力シート作成工程へと戻ることによって、任意の複数ページの設定情報入力シートを用いて上記電子機器を設定することを特徴する設定情報入力方法。
【請求項６】
請求項４または請求項５において、
上記電子機器を設定する設定項目が複数、列挙されている設定情報入力シートである目次シートを用いて、複数種類の設定情報入力シートの中から、印刷すべき設定情報入力シートを、少なくとも１種類、選択する設定情報入力シート選択工程を有することを特徴とする設定情報入力方法。
【請求項７】
電子機器の設定入力を行うプログラムにおいて、
所定の設定項目について所定の設定情報を、設定情報入力作業者が加筆する設定情報入力シートを作成する設定情報入力シート作成手順と；
上記設定情報入力シートを印刷する印刷手順と；
上記設定情報入力作業者が加筆した上記設定情報入力シートを読み取り、記憶装置に記憶する読取手順と；
上記読取手順で読み取った情報に基づいて、設定情報を解析し、記憶装置に記憶する設定情報解析手順と；
上記解析された設定情報を、設定項目毎に識別し、上記電子機器を設定する電子機器設定手順と；
上記設定情報解析手順が解析した設定情報に基づいて、上記設定を全て終了したかどうかを判断する設定終了判断手順と；
上記設定終了判断手順で、上記設定を全て終了したと判断されたら、設定情報入力シートを用いた上記一連の設定を終了し、一方、上記設定を全て終了したと判断されなければ、次に設定すべき設定情報入力シートを、上記設定情報入力シート作成手順で作成させる制御手順と；
をコンピュータに実行させるプログラム。
【発明の詳細な説明】
【技術分野】
【０００１】
本発明は、設定情報入力シートを用いた入力方法および入力装置に関する。
【背景技術】
【０００２】
従来、電子機器の設定の入力作業は、一般的に複雑であり、広く設定項目全体と設定対象の動作に関する知識を要求される。特に、高機能な電子機器は、その設定項目が多いので、高機能な電子機器であればある程、使い難いという欠点がある。
【０００３】
この欠点を解決するために、設定項目（設定情報）を記入したシートを、読取装置が読み取り、これによって、電子機器の設定を行う方式が提案されている。
【０００４】
つまり、設定情報入力形式提供手段から光学読取手段の読取能力に応じて、図形・文字・記号を配置した設定情報入力形式を取得し、光学読取手段の読み取り能力に適するように印刷して設定情報記入シートを作成し、ユーザが設定情報を加筆した設定情報記入シートを光学読取手段が読み取り、設定情報入力形式と設定情報記入シートとを照合して、設定情報を抽出し、電子機器の設定を行うものが知られている（たとえば、特許文献１参照）。しかし、上記特許文献１には、複数ページの設定情報入力シートを用いた電子機器の設定については記載されず、１ページの設定情報入力シートを用いた設定方法のみが記載されている。
【０００５】
また、記入シートに記入された電子機器を選択、制御するための画像情報を読み取り、この読み取った画像情報を中央装置へ送り、中央装置が画像情報を制御信号に変化し、ネットワークでつながっている様々な電子機器の設定を行うものが知られている（たとえば、特許文献２参照）。しかし、上記特許文献２には、複数ページの設定情報入力シートを用いた電子機器の設定については記載されず、１ページの設定情報入力シートを用いた設定方法のみが記載されている。
【０００６】
さらに、制御方法が記述された、または、制御方法を記述できるシートを読み取り、電子機器の制御を行うものが知られている（たとえば、特許文献３参照）。また、上記特許文献３には、電子機器のある時点の設定値や、その時点で記憶されている特定の操作を、制御方法が記述されたシートとして、印刷を行うことができる点も記載されている。しかし、上記特許文献３にも、複数ページの設定情報入力シートを用いた電子機器の設定については記載されず、１ページの設定情報入力シートを用いた設定方法のみが記載されている。
【特許文献１】特開２００１−２１１２８４号公報
【特許文献２】特開２００３−３０７７４号公報
【特許文献３】特開２００３−２６３６１４号公報
【発明の開示】
【発明が解決しようとする課題】
【０００７】
ところで、電子機器の設定において、より複雑な設定を行う場合や、複数の設定を同時に行う場合には、紙の大きさに制限がある以上、設定情報入力シートに印刷する文字や記号を小さくせざるを得ないが、設定情報入力シートを使うユーザのユーザビリティや読取部の性能を考えると、あまりに小さい文字や記号を用いることはできない。
【０００８】
したがって、上記従来例では、電子機器の設定において、複雑な設定をすることができないという問題があり、また、複数の設定を同時に行うことができないという問題がある。
【０００９】
本発明は、設定情報入力シートを使用して電子機器を設定する場合、複雑な設定を行うことができ、また、複数の設定を同時に行うことができる設定情報入力装置、設定情報入力方法およびプログラムを提供することを目的とするものである。
【課題を解決するための手段】
【００１０】
本発明は、設定情報入力シートを使用して電子機器を設定する場合、１つの設定情報入力シートによる設定が終わった後に、全ての設定が終了したかどうかを判断し、全ての設定が終了していないのであれば、次の設定情報入力シートによる設定を行うものである。
【発明の効果】
【００１１】
本発明によれば、複数ページの設定情報入力シートを用いて設定情報を入力するので、設定情報入力シートを使用して電子機器を設定する場合、複雑な設定を行うことができ、また、複数の設定を同時に行うことができるという効果を奏する。
【発明を実施するための最良の形態】
【００１２】
発明を実施するための最良の形態は、次の実施例である。
【実施例１】
【００１３】
図１は、本発明の実施例１である複合機１０が使用されている画像処理システム１００の全体の構成を示すブロック図である。
【００１４】
実施例１は、設定情報入力シートを使用して、複合機について無線ＬＡＮを設定する実施例である。
【００１５】
画像処理システム１００は、複合機１０と、ＰＣ（パーソナルコンピュータ）２０と、無線ＬＡＮユニット３０と、アクセスポイントＡＰ１、ＡＰ２、ＡＰ３とを有する。
【００１６】
複合機１０は、本発明の実施例１である設定情報入力装置の例である。なお、複合機１０の代わりに、単機能のプリンタ等を使用するようにしてもよい。
【００１７】
無線ＬＡＮユニット３０は、ＵＳＢによって、複合機１０と接続されている。また、無線ＬＡＮユニット３０は、ＬＡＮ（ローカルエリアネットワーク）によって、アクセスポイントＡＰ２と接続されている。無線ＬＡＮユニット３０とアクセスポイントＡＰ２との間を、有線で接続しても、無線で接続してもよいが、図１に示す例では、無線で接続されている。
【００１８】
また、図１に示す実施例では、複合機１０と無線ＬＡＮユニット３０とを分離し、ＵＳＢで互いに接続しているが、この２つを合体して、複合機１０が、無線ＬＡＮユニット３０の機能を含むようにしてもよい。
【００１９】
ＰＣ２０は、ＬＡＮによって、アクセスポイントＡＰ２と接続されている。この間は有線でも無線でもよいが、図１に示す実施例では、無線で接続されている。
【００２０】
これらによって、ＰＣ２０から複合機１０を、ＵＳＢ等で直接接続するのではなく、ＬＡＮを通して制御し、この制御方法について、以下、記載する。なお、複合機１０とＰＣ２０との間の制御プロトコルは、公知の制御プロトコルを用いる。
【００２１】
また、図１に示されているアクセスポイントＡＰ１とＡＰ３とは、ＰＣ２０、無線ＬＡＮユニット３０のどちらとも接続されていない。
【００２２】
図２は、複合機１０の概略構成を示すブロック図である。
【００２３】
複合機１０は、ＣＰＵ１と、ＲＯＭ２と、ＲＡＭ３と、画像メモリ４と、データ変換部５と、読取制御部６と、読取部７と、操作表示部８と、通信制御部９と、符号復号化処理部１１と、記録制御部１２と、ＵＳＢファンクション制御部１３と、ＵＳＢホスト制御部１４と、記録部１５と、解像度変換処理部１６と、ＣＰＵバス１７とを有する。
【００２４】
ＣＰＵ１は、システム制御部であり、複合機１０の全体を制御する。
【００２５】
ＲＯＭ２は、ＣＰＵ１が実行する制御プログラムやデータテーブル、組み込みオペレーティングシステム（ＯＳ）プログラム等の固定データを格納する。実施例１では、ＲＯＭ２に格納されている各制御プログラムは、ＲＯＭ２に格納されている組み込みＯＳの管理下で、スケジューリングやタスクスイッチ、割り込み処理等のソフトウエアを実行制御する。
【００２６】
ＲＡＭ３は、バックアップ電源を必要とするＳＲＡＭ（Ｓｔａｔｉｃ  Ｒａｎｄｏｍ  Ａｃｃｅｓｓ  Ｍｅｍｏｒｙ）等で構成され、図示しないデータバックアップ用の１次電池によってデータが保持されている。ＲＡＭ３には、データが消去されては困るプログラム制御変数等を格納する。また、オペレータが登録した設定値や複合機１０の管理データ等を格納するメモリエリアも設けられている。
【００２７】
画像メモリ４は、ＤＲＡＭ（Ｄｙｎａｍｉｃ  Ｒａｎｄｏｍ  Ａｃｃｅｓｓ  Ｍｅｍｏｒｙ）等で構成され、画像データを蓄積する。また、一部の領域をソフトウエア処理の実行のためのワークエリアとして確保してある。
【００２８】
データ変換部５は、ページ記述言語（ＰＤＬ：Ｐａｇｅ  Ｄｅｓｃｒｉｐｔｉｏｎ  Ｌａｎｇｕａｇｅ）等の解析や、キャラクタデータのＣＧ（Ｃｏｍｐｕｔｅｒ  Ｇｒａｐｈｉｃｓ）展開等、画像データの変換を行う。
【００２９】
読取制御部６は、読取部７が、ＣＩＳイメージセンサ（密着型イメージセンサ）によって、光学的に原稿を読み取り、電気的な画像データに変換した画像信号を、図示しない画像処理制御部を介して、２値化処理や中間調処理等の各種画像処理を施し、高精細な画像データを出力する。なお、実施例１では、読取制御部６、読取部７は、原稿を搬送しながら、固定されているＣＩＳイメージセンサで読み取りを行うシート読取制御方式と、原稿台に固定されている原稿を、移動するＣＩＳイメージセンサでスキャンするブック読取制御方式の両制御方式とに対応している。
【００３０】
操作表示部８は、数値入力キー、文字入力キー、モード設定キー、決定キー、取り消しキー等を備えた操作表示部と、各種キー、ＬＥＤ（発光ダイオード）とＬＣＤ（液晶ディスプレイ）等によって構成され、ユーザによって複合機としての各種機能や、無線ＬＡＮユニット３０のネットワーク設定や暗号鍵の入力・編集や、複合機１０の動作状況、ステータス状況の表示等を行うことができる。
【００３１】
通信制御部９は、ＭＯＤＥＭ（変復調装置）や、ＮＣＵ（網制御装置）等によって構成されている。実施例１では、通信制御部９は、アナログの通信回線（ＰＳＴＮ）Ｌ１に接続され、Ｔ３０プロトコルでの通信制御、通信回線に対する発呼と着呼等の回線制御を行っている。
【００３２】
符号復号化処理部１１は、複合機１０で扱う画像データ（非圧縮、ＭＨ、ＭＲ、ＭＭＲ、ＪＢＩＧ、ＪＰＥＧ等）を、相互に符号復号化処理し、拡大縮小処理を行う。
【００３３】
記録制御部１２は、図示しない画像処理制御部を介して、印刷される画像データに、スムージング処理や記録濃度補正処理、色補正等の各種画像処理を施すことによって、高精細な画像データに変換し、ＵＳＢホスト制御部１４に出力する。また、ＵＳＢホスト制御部１４を制御することによって、定期的に記録部１５の状態情報データを取得する役割も果たす。
【００３４】
ＵＳＢファンクション制御部１３は、ＵＳＢインタフェースの通信制御を行うものであり、ＵＳＢ通信規格に従って、プロトコル制御を行い、ＣＰＵ１が実行するＵＳＢファンクション制御タスクからのデータを、パケットに変換し、図示しない外部のＰＣにＵＳＢパケット送信を行い、逆に、外部のＰＣからのＵＳＢパケットを、データに変換してＣＰＵ１に送信する。
【００３５】
ＵＳＢホスト制御部１４は、ＵＳＢ通信規格で定められたプロトコルで通信を行う制御部である。ＵＳＢ通信規格は、双方向のデータ通信を高速に行うことができる規格であり、１台のホスト（マスター）に対し、複数のハブまたはファンクション（スレーブ）を接続することができる。ＵＳＢホスト制御部１４は、ＵＳＢ通信におけるホストの機能を有する。
【００３６】
記録部１５は、図示しない専用ＣＰＵで制御するレーザビームプリンタやインクジェットプリンタ等からなる記録装置であり、ＵＳＢインタフェース経由で受信したカラー画像データ、またはモノクロ画像データを印刷部材に印刷する。ＵＳＢホスト制御部１４は、ＵＳＢ通信規格で定められたプロトコルで通信を行い、特に、記録部１５は、ファンクションの機能を有する。実施例１においては、記録機能のＵＳＢ通信は、１対１の接続形態を用いる。また、実施例１においては、ＵＳＢ対応とする。
【００３７】
解像度変換処理部１６は、ミリ系の画像データとインチ系の画像データの相互変換等の解像度変換制御を行う。なお、解像度変換処理部１６において、画像データの拡大縮小処理も可能である。
【００３８】
上記構成要素１〜６、８、９、１１〜１４、１６は、ＣＰＵ１が管理するＣＰＵバス１７を介して、相互に接続されている。
【００３９】
次に、複合機１０とともに画像処理システム１００を構成する情報処理端末等のＰＣ２０の概略構成について、説明する。
【００４０】
図３は、複合機１０とともに画像処理システム１００を構成する情報処理端末等のＰＣ２０の概略構成を示す図である。
【００４１】
ＰＣ２０は、ＣＰＵ２１と、ＲＯＭ２２と、ＲＡＭ２３と、内部記憶装置２４と、外部記憶装置２５と、操作部２６と、表示部２７と、通信部２８と、ＵＳＢホスト制御部２９とを有する。
【００４２】
ＣＰＵ２１は、ＲＯＭ２２、ＲＡＭ２３、または、内部記憶装置２４、外部記憶装置２５によって外部記憶媒体ＭＤから読み出されたプログラムに従って、システムバスを介してＰＣ２０全体の動作を制御するものである。
【００４３】
ＲＯＭ２２は、ＣＰＵ２１の制御プログラム等を格納している。ＲＡＭ２３は、一時的にプログラムや画像データを記憶し、ＰＣ２０の処理を高速に動作させるためのものである。
【００４４】
内部記憶装置２４には、オペレーティングシステム、各種アプリケーションプログラムや画像データ等が格納されている。内部記憶装置２４には、実施例１における文字データ処理工程を含む、複合機１０に対する各種制御命令やデータの送受信を行うためのアプリケーションソフト、プリンタドライバソフト、スキャナドライバソフト、ファクシミリドライバソフト、機能毎のＵＳＢクラスドライバソフトとＵＳＢバスドライバソフト等がインストールされている。
【００４５】
通常、これらのアプリケーションソフトとドライバソフトとは、これらが記憶されたほかのコンピュータ可読媒体から外部記憶ディスクＭＤ（フロッピー（登録商標）ディスク、ＣＤ−ＲＯＭメディア）によってデータを受け取り、外部記憶装置２５を制御することによってインストールを行う。また、通信回線によって通信部（ネットワークやモデム）２８で、アプリケーションソフトとドライバソフトとを受け取り、内部記憶装置２４にインストールするようにしてもよい。
【００４６】
操作部２６は、オペレータからの指示入力手段としてのキーボードやマウス（不図示）を制御するものである。印刷の実行起動には、通常、操作部２６のキーボードやマウスが使用される。
【００４７】
表示部２７は、オペレータに対して各種表示を行うものである。外部処理端末であるＰＣ２０で印刷の実行起動をかける場合は、確認ダイヤログ等を表示部２７に表示し、オペレータに入力を促す。また、印刷動作の実行中は、印刷状況を示す情報をオペレータに提供する。
【００４８】
通信部２８は、不図示のネットワークに接続し、通信回線を通してインターネットプロバイダへの接続や、相手通信装置との間でのデータや画像情報等の通信を行う。なお、ネットワークや通信回線への接続に関しては、公知の方法を使用し、説明を省略する。
【００４９】
ＵＳＢホスト制御部２９は、ＵＳＢインタフェースの通信制御を行うものであり、ＵＳＢ通信規格に従って、ＣＰＵ２１からのデータをパケットに変換し、複合機１０にＵＳＢパケットを送信し、逆に、複合機１０からのＵＳＢパケットをデータに変換し、ＣＰＵ２１に送信する。通信制御方法に関しては、公知の方法を使用し、説明を省略する。
【００５０】
次に、画像処理システム１００を構成する無線ＬＡＮユニット３０の概略構成について説明する。
【００５１】
図４は、画像処理システム１００を構成する無線ＬＡＮユニット３０の概略構成を示す図である。
【００５２】
無線ＬＡＮユニット３０は、ＣＰＵ３１と、ＲＯＭ３２と、ＲＡＭ３３と、無線ＬＡＮ通信部３４と、ＵＳＢホスト制御部３５とを有する。
【００５３】
ＣＰＵ３１は、ＲＯＭ３２、ＲＡＭ３３に記録されたプログラムに従って、システムバスを介して、無線ＬＡＮユニット３０の全体の動作を制御する。
【００５４】
ＲＯＭ３２は、ＣＰＵ３１の制御プログラム等を格納している。ＲＡＭ３３は、一時的にプログラムや画像データを記憶する。
【００５５】
無線ＬＡＮ通信部３４は、無線ＬＡＮによる通信を行う部分であり、各社から供給されている無線ＬＡＮコントロールチップを用いてもよく、また、通信の認証の手間を省くために各社から供給されているＰＣＭＣＩＡカード型無線ＬＡＮアダプタを、ＰＣＭＣＩＡカードコントローラ（不図示）を通して、ＣＰＵバスに接続するようにしてもよい。
【００５６】
ＵＳＢホスト制御部３５は、ＵＳＢインタフェースの通信制御を行うものであり、ＵＳＢ通信規格に従って、ＣＰＵ３１からのデータをパケットに変換し、複合機１０にＵＳＢパケットを送信し、逆に複合機１０からのＵＳＢパケットをデータに変換し、ＣＰＵ３１に送信する。通信制御方法に関しては、公知の方法を使用し、その説明を省略する。
【００５７】
次に、実施例１において、複合機１０と無線ＬＡＮユニット３０との無線ＬＡＮ設定を、設定情報入力シートを用いて行う動作について説明する。
【００５８】
ここで、「無線ＬＡＮ設定」は、大きく分けると、Ｓｅｒｖｉｃｅ  Ｓｅｔ  Ｉｄｅｎｔｉｆｉｅｒ（以下、ＳＳＩＤ）の設定と、Ｉｎｔｅｒｎｅｔ  Ｐｒｏｔｏｃｏｌ  Ａｄｄｒｅｓｓ（以下、ＩＰアドレス）の設定とがある。上記「ＳＳＩＤ」は、無線ＬＡＮで特定のネットワークを指定する識別名である。また、上記「ＩＰアドレス」は、インターネットやイントラネット等のＩＰネットワークに接続されたコンピュータ１台１台に割り振られている識別番号である。
【００５９】
また、ＳＳＩＤやＩＰアドレスの設定の仕方によっては、無線通信における暗号化技術であるＷｉｒｅｄ  Ｅｑｕｉｖａｌｅｎｔ  Ｐｒｉｖａｃｙキー（以下、「ＷＥＰキー」という）や、ＩＰアドレスの入力が必要である。なお、ＷＥＰキーには、６４ビットと１２８ビットとの２種類がある。
【００６０】
図５は、設定情報入力シートによる無線ＬＡＮ設定の処理動作の概要を示すフローチャートである。
【００６１】
設定情報入力シートによる無線ＬＡＮ設定方法は、４つのステップに大別される。すなわち、設定情報入力シートによる無線ＬＡＮ設定方法は、次の（１）〜（４）である。
（１）ステップ１：設定情報入力シートの作成（Ｓ１）
（２）ステップ２：設定情報入力シートへの加筆（Ｓ２）
（３）ステップ３：設定情報入力シートの解析（Ｓ３）
（４）ステップ４：設定終了かどうかの判断（Ｓ４）
＜ステップ１：設定情報入力シート作成（Ｓ１）＞
設定情報入力シートを作成する場合（Ｓ１）、無線ＬＡＮの設定を行うための設定情報入力シートを作成する。Ｓ１における処理の流れを簡単にまとめると、図５に示すように、設定情報入力シートの静的データを取得し、設定情報入力シートの動的データを取得し、上記静的データと上記動的データとを合成し、この合成したデータを設定情報入力シートとして印刷する。なお、上記「静的データ」は、設定情報入力シートの固定情報であり、静的設定情報である。
【００６２】
実施例１における無線ＬＡＮの設定では、ＷＬＡＮ設定ナビシートと、ＷＥＰキー設定ナビシート（６４ｂｉｔ）と、ＷＥＰキー設定ナビシート（１２８ｂｉｔ）と、ＩＰアドレス設定ナビシートとの、合計４種類の設定情報入力シートを作成する。なお、「ＷＬＡＮ」は、無線ＬＡＮである。
【００６３】
ＷＬＡＮ設定ナビシートについては、ユーザが無線ＬＡＮを設定するときに、操作表示部８を操作することによって、ＷＬＡＮ設定ナビシートの作成要求が出される。
【００６４】
また、ＷＥＰキー設定ナビシート（６４ｂｉｔ）と、ＷＥＰキー設定ナビシート（１２８ｂｉｔ）と、ＩＰアドレス設定ナビシートとの３種類のナビシートについては、ＷＬＡＮ設定ナビシートの設定によって、必要に応じて、Ｓ４において（Ｓ１２２、Ｓ１２４、Ｓ１２６）、作成要求が出される。
【００６５】
図６は、実施例１において、設定情報入力シートを作成する手順を示すフローチャートである。
【００６６】
Ｓ１１では、ＷＥＰキー設定ナビシート（６４ｂｉｔ）の作成要求が来ているかどうかを判定し、作成要求が来ていれば、Ｓ１２で、ＲＯＭ２に格納されているＷＥＰキー設定ナビシート（６４ｂｉｔ）の静的データ（静的設定情報）を取得する。そして、Ｓ２０では、上記静的データを、記録部１５が印刷可能な印刷データへ変換し、Ｓ２１では、作成された印刷データを記録部１５に送ることによって、ＷＥＰキー設定ナビシート（６４ｂｉｔ）を印刷する。
【００６７】
図７は、印刷されたＷＬＡＮ設定ナビシートを示す図である。
【００６８】
図８は、印刷されたＷＥＰキー設定ナビシート（６４ｂｉｔ）の一例を示す図である。
【００６９】
図９は、ＷＥＰキー設定ナビシート（１２８ｂｉｔ）の一例を示す図である。
【００７０】
上記と同様に、Ｓ１３では、ＷＥＰキー設定ナビシート（１２８ｂｉｔ）の作成要求が来ているかどうかを判定し、作成要求が来ていれば、図９に示すＷＥＰキー設定ナビシート（１２８ｂｉｔ）を印刷する。
【００７１】
図１０は、ＩＰアドレス設定ナビシートの一例を示す図である。
【００７２】
上記と同様に、Ｓ１５では、ＩＰアドレス設定ナビシートの作成要求が来ているかどうかを判定し、作成要求が来ていれば、図１０に示すＩＰアドレス設定ナビシートを印刷する。
【００７３】
Ｓ１１、Ｓ１３、Ｓ１５の全てが、ＮＯであれば、ＷＬＡＮ設定ナビシートの作成要求が来ていると判断し、Ｓ１７では、ＲＯＭ２に格納されているＷＬＡＮ設定ナビシートの静的データ（固定データ、静的設定情報）を取得する。そして、ＷＬＡＮ設定ナビシートの設定項目の中に、ユーザ毎に異なるアクセスポイントの項目があり、また、無線の電場状況に応じてリアルタイムに、動的に変化するアクセスポイントの項目があるので、Ｓ１８では、無線ＬＡＮユニット３０から、最新のアクセスポイントリスト（動的データであり、動的に変化する設定情報である動的設定情報）を取得する。
【００７４】
その後、Ｓ１９では、Ｓ１７で取得したＷＬＡＮ設定ナビシートの静的データと、Ｓ１８で取得したアクセスポイントリストの動的データとを合成する。
【００７５】
次に、Ｓ２０で、上記合成したデータを、記録部１５が印刷できる印刷データへ変換して印刷データを作成し、Ｓ２１では、この変換された印刷データを、記録部１５に送ることによって、ＷＬＡＮ設定ナビシートを印刷する。
【００７６】
＜ステップ２：設定情報入力シート加筆（Ｓ２）＞
次に、設定情報入力シート加筆ステップ（Ｓ２）の手順、つまり、Ｓ１で作成された４種類の設定情報入力シートに加筆する手順について説明する。
【００７７】
図７に示すＷＬＡＮ設定ナビシートにおいて、ＳＳＩＤとＩＰアドレスとを設定し、Ｓ３２のアクセスポイントのリストが、Ｓ１８で取得した動的データであり、それ以外の部分が、Ｓ１７で取得した静的データ（固定データ）である。
【００７８】
図７に示すＷＬＡＮ設定ナビシートは、図１に示す画像処理システム１００に対応するものである。
【００７９】
図１に示す例では、アクセスポイントとして、アクセスポイントＡＰ１、ＡＰ２、ＡＰ３の３つがあるので、図７のＳ３２に示すアクセスポイントリストにも、３つのアクセスポイントのリスト（アクセスポイントＡＰ１、ＡＰ２、ＡＰ３）が表示されている。
【００８０】
まず、Ｓ３１では、「ＰＣに接続する（アドホック）」か、「アクセスポイントに接続する」のうちで、どちらかを選択し、横長の丸印の部分（マーク記入欄）を塗りつぶす（マークする）。「ＰＣに接続する」場合、Ｓ３２、Ｓ３３における設定を実行する必要がないので、ＩＰアドレスの設定（Ｓ３４）に進む。
【００８１】
アクセスポイントに接続する場合、Ｓ３２に進み、どのアクセスポイントに接続するかを決め、横長の丸印の部分（マーク記入欄）にマークする。また、アクセスポイントによっては、セキュリティがかけられている場合があるので、Ｓ３３では、セキュリティモードを選択し、マークする。ここで、ＷＥＰキー（６４ｂｉｔ）であるか、ＷＥＰキー（１２８ｂｉｔ）であるかをマークした場合、後で、ＷＥＰキー設定ナビシートが作成・印刷され、ＷＥＰキー設定ナビシートを記入しなければならない。
【００８２】
続いて、Ｓ３４では、ＩＰアドレスを設定する。ＩＰアドレスを自動取得する（ＤＨＣＰ）であるか、ＩＰアドレスを自動取得しない（ＳＴＡＴＩＣ  ＩＰ）であるかを選択し、選択されたマーク記入欄にマークする。後者である場合、後に、ＩＰアドレス設定ナビシートが作成・印刷され、ＩＰアドレス設定ナビシートを記入しなければならない。
【００８３】
最後に、Ｓ３５の手順で，ＷＬＡＮ設定ナビシートを、読取部７から読み取る。
【００８４】
ここで、図１において、アクセスポイントＡＰ３の電源がＯＦＦになっている場合について考える。この場合、ユーザがＷＬＡＮを設定しようとして、ＷＬＡＮ設定ナビシートの作成要求を出すと、アクセスポイントリストに関しては、ＷＬＡＮ設定ナビシートを作成する時点の最新のリストを使用するので、図７に示す場合と比較すると、アクセスポイントＡＰ３がリスト上から削除され、アクセスポイントＡＰ１とＡＰ２とのみが印刷される。
【００８５】
図１１は、実施例１におけるＷＬＡＮ設定ナビシートの記入例を示す図である。
【００８６】
図１１に示す例では、アクセスポイントＡＰ２に接続し、セキュリティモードは、ＷＥＰキー（６４ｂｉｔ）であり、ＩＰアドレスの自動取得を行わない設定である。したがって、図１１に示すＷＬＡＮ設定ナビシートをスキャンすると、ＷＥＰキー設定ナビシート（６４ｂｉｔ）とＩＰアドレス設定ナビシートとを作成し、印刷し、これらのシートに記入をしなければならない。
【００８７】
図８に示すＷＥＰキー設定ナビシート（６４ｂｉｔ）では、ＷＬＡＮ設定ナビシートのＳ３３で選択したアクセスポイントの６４ｂｉｔのＷＥＰキーを設定する。６４ｂｉｔのＷＥＰキーを設定するには、０〜Ｆまでの１６進数で、１０桁指定する必要があるので、Ｓ４１では、これらをマークし、Ｓ４２に書いてある手順によって、ＷＥＰキー設定ナビシート（６４ｂｉｔ）を、読取部７から読み取る。
【００８８】
図１２は、ＷＥＰキー設定ナビシート（６４ｂｉｔ）の記入例を示す図である。
【００８９】
図１２に示す記入例では、１６進数の１０桁の数値「３４３５３２３６３４」が指定されている。
【００９０】
これと同様に、図９に示すＷＥＰキー設定ナビシート（１２８ｂｉｔ）では、ＷＬＡＮ設定ナビシートのＳ３３で選択したアクセスポイントの１２８ｂｉｔのＷＥＰキーを設定する。１２８ｂｉｔのＷＥＰキーを設定するには、０〜Ｆの１６進数で２５桁指定する必要があるので、Ｓ５１では、これらをマークし、Ｓ５２に記載されている手順に従って、ＷＥＰキー設定ナビシート（１２８ｂｉｔ）を、読取部７が読み取る。
【００９１】
図１０に示すＩＰアドレス設定ナビシートでは、０００．０００．０００．０００〜２５５．２５５．２５５．２５５の中から、ＩＰアドレスを設定する。Ｓ６１では、これらをマークし、Ｓ６２に記載されている手順で、ＩＰアドレスが記入されているＩＰアドレス設定ナビシートを読取部７が読み取る。
【００９２】
図１３は、ＩＰアドレス設定ナビシートの記入例を示す図である。
【００９３】
図１３では、１９２．１６８．０５３．２０１のＩＰアドレスが指定されている。
【００９４】
＜ステップ３：設定情報入力シート解析（Ｓ３）＞
続いて、設定情報入力シート解析ステップ（Ｓ３）では、ステップ２（Ｓ２）で加筆された４種類の設定情報入力シートを解析する。
【００９５】
ステップ３（Ｓ３）における処理の流れを簡単にまとめると、その流れが図５にフローチャートで示してあるように、設定情報入力シートの読取と、設定情報入力シートの解析と、機器への設定とである。
【００９６】
図１４は、設定情報入力シートを解析する手順を示すフローチャートである。
【００９７】
Ｓ１０１では、複合機１０の原稿台に置かれ、ユーザによって加筆された設定情報入力シートを、読取部７が読み取る。設定情報入力シートを読み取った場合、たとえば２値化した読取データを、ＲＡＭ３に格納する。格納された読取データは、後述する各種マーク判定処理や、どの種類の設定情報入力シートであるかの判定等で、参照される。
【００９８】
続いて、Ｓ１０２では、読み取った設定情報入力シートが、ＷＥＰキー設定ナビシート（６４ｂｉｔ）であるかどうかを判定する。この判定は、図７、図８、図９、図１０に示す各種設定情報入力シートには示してないが、どのシートであるかを示す情報を、各種設定情報入力シート上に予め印刷し、Ｓ１０１における読取時に、どのシートであるかを判別する方法を採用している。この方法の代わりに、設定情報入力シートの読取を、ユーザが開始するときに、どのシートであるかを、操作表示部８上で選択する方法を採用するようにしてもよい。
【００９９】
上記方法で、ＷＥＰキー設定ナビシート（６４ｂｉｔ）であると判断した場合、Ｓ１０３では、Ｓ１０１で読み取った６４ｂｉｔのＷＥＰキーを、無線ＬＡＮユニット３０に設定する。
【０１００】
ここで、１０桁分の０〜Ｆの１６進数のどれがマークされているかを判定するマーク判定処理の方法に関して、特に規定しないが、たとえば、マーク位置を検出する場合、解析したい任意の場所のマーク座標を、ＲＯＭ２に予め記憶し、上記マーク座標に該当するアドレスから誤差を含めた範囲を解析し、任意の条件を満たす座標を、解析対象のマークであると判別するようにしてもよい。また、上記判別されたマーク欄に該当する読取データを、任意の閾値と比較することによって、マーキングされたか否かを判別するようにしてもよい。
【０１０１】
また、実施例１では、マークの有効または無効について、特に規定しないが、たとえば、複数のマーク欄からただ１つをマークすべき場合、複数のマークが検出されれば、エラーであると扱うようにしてもよい。
【０１０２】
同様に、Ｓ１０４では、ＷＥＰキー設定ナビシート（１２８ｂｉｔ）であると判断されると、Ｓ１０５では、１２８ｂｉｔのＷＥＰキーを設定する。
【０１０３】
また、上記と同様に、Ｓ１０６では、ＩＰアドレス設定ナビシートであると判断されると、Ｓ１０７では、ＩＰアドレスを設定する。
【０１０４】
ＷＬＡＮ設定ナビシート以外のシートである場合、ステップ３（Ｓ３）における設定は終わりであり、ステップ４（Ｓ４）へ進む。
【０１０５】
次に、ＷＬＡＮ設定ナビシートである場合、Ｓ１０８では、フラグ等の初期化設定を行う。この初期化設定は、ＷＥＰ６４フラグ、ＷＥＰ１２８フラグ、ＩＰアドレスフラグをＯＦＦとする設定である。
【０１０６】
続いて、Ｓ１０９では、Ｓ３１の接続方式の選択が、どちらにマークされているかを判定処理する。
【０１０７】
「ＰＣに接続する」にマークされている場合、Ｓ１１０では、無線ＬＡＮユニット３０の接続モードを、ＰＣと直接接続するアドホックモードに設定する。
【０１０８】
また、「アクセスポイントに接続する」にマークされている場合、Ｓ１１１では、Ｓ３２のアクセスポイントリストのうちで、どのアクセスポイントにマークされているかを判定し、無線ＬＡＮユニット３０の接続モードを、マークされているアクセスポイントとの接続に設定する。
【０１０９】
続いて、アクセスポイントと接続する場合、必要に応じて、セキュリティの設定をする必要があるので、Ｓ１１２では、Ｓ３３に示すセキュリティ方式のうちのどれにマークされているかを判定する。ＷＥＰキー（６４ｂｉｔ）に、マークされている場合、Ｓ１１３では、後でＷＥＰキー（６４ｂｉｔ）の設定をするためのＷＥＰキー設定ナビシート（６４ｂｉｔ）を作成するかどうかを判断する場合（後述のＳ１２１）、作成すると判断するために、ＷＥＰ６４フラグをＯＮにする。また、これと同様に、ＷＥＰキー（１２８ｂｉｔ）にマークされている場合、Ｓ１１４では、ＷＥＰ１２８フラグをＯＮにする。また、未使用にマークされていた場合、何も行わずに、次のＳ１１５の処理を行う。
【０１１０】
最後に、Ｓ１１５では、Ｓ３４に示すＩＰアドレスの設定がどちらにマークされているかを判定し、「ＩＰアドレスを自動取得する」にマークされている場合、Ｓ１１６では、無線ＬＡＮユニット３０のＩＰアドレスのモードを、ＩＰアドレスを自動取得するモードに設定する。また、「ＩＰアドレスを自動取得しない」にマークされている場合、Ｓ１１７では、後でＩＰアドレスをユーザが設定をするためのＩＰアドレス設定ナビシートを作成するかどうかを判断する場合、（後述のＳ１２５）、作成すると判断するために、ＩＰアドレスフラグをＯＮにする。
【０１１１】
＜ステップ４：設定終了かどうかの判断（Ｓ４）＞
最後に、Ｓ４の無線ＬＡＮの設定終了かどうかを判断するステップにおける処理について、説明する。
【０１１２】
図１５は、設定終了かどうかを判断する手順を示すフローチャートである。
【０１１３】
まず、Ｓ１２１では、ＷＥＰ６４フラグがＯＮであるかどうかをチェックする。ＷＥＰ６４フラグがＯＮである場合、Ｓ１２２では、ＷＥＰキー設定ナビシート（６４ｂｉｔ）の作成要求を出し、ＷＥＰ６４フラグをＯＦＦにする。
【０１１４】
これと同様に、Ｓ１２３では、ＷＥＰ１２８フラグがＯＮである場合、Ｓ１２４では、ＷＥＰキー設定ナビシート（１２８ｂｉｔ）の作成要求を出し、ＷＥＰ１２８フラグをＯＦＦにする。
【０１１５】
また、Ｓ１２５では、ＩＰアドレスフラグがＯＮである場合、Ｓ１２６では、ＩＰアドレス設定ナビシートの作成要求を出し、ＩＰアドレスフラグをＯＦＦにする。
【０１１６】
続いて、ＷＥＰ６４フラグ、ＷＥＰ１２８フラグ、ＩＰアドレスフラグのどれかがＯＮである場合、Ｓ１２８では、ステップ１（Ｓ１）の設定情報入力シート作成に戻り、図６に示す設定情報入力シート作成のフローチャートに従って、作成要求が出された設定情報入力シートの作成、印刷を行う。
【０１１７】
なお、ＷＥＰ６４フラグ、ＷＥＰ１２８フラグ、ＩＰアドレスフラグの全てがＯＦＦである場合、無線ＬＡＮの設定が終了したので、Ｓ１２７では、無線ＬＡＮの設定終了の処理を行う。
【０１１８】
つまり、実施例１において、解析された設定情報を、設定項目毎に識別し、上記電子機器を設定する場合、上記解析した設定情報に基づいて、上記設定を全て終了したかどうかを判断し、上記設定を全て終了したと判断したら、設定情報入力シートを用いた上記一連の設定を終了し、一方、上記設定を全て終了したと判断しなければ、次に設定すべき設定情報入力シートを、作成させるように制御する。すなわち、実施例１は、複数ページの設定情報入力シートを用いて設定情報を入力する。
【０１１９】
実施例１によれば、複数ページの設定情報入力シートを用いて設定情報を入力するので、設定情報入力シートを使用して電子機器を設定する場合、複雑な設定を行うことができ、また、複数の設定を同時に行うことができる。
【実施例２】
【０１２０】
図１６は、本発明の実施例２の動作を示すフローチャートである。
【０１２１】
実施例２は、設定情報入力シートを使用して、複合機１０について無線ＬＡＮを設定する場合に、目次シートＣＳを使用して設定する実施例である。実施例２における複合機１０は、実施例１におけるそれと同様の構成を有するので、その説明を省略する。
【０１２２】
なお、上記「目次シートＣＳ」は、複合機１０を設定する設定項目が、複数、列挙されている設定情報入力シートである。つまり、目次シートＣＳは、電子機器を設定する設定項目が、複数、列挙されている設定情報入力シートである。
【０１２３】
まず、ユーザが操作表示部８から目次シートＣＳの印刷を実行する場合、Ｓ１３１で、目次シートＣＳを作成し、印刷する。
【０１２４】
図１７は、実施例２において印刷された目次シートＣＳを示す図である。
【０１２５】
次に、Ｓ１３２では、図１７に示すＳ１４１〜Ｓ１５０の中からユーザが設定したい項目を少なくとも１つの設定項目をマークする（塗りつぶす）。
【０１２６】
続いて、Ｓ１３３では、目次シートＣＳを読取部７が読み取り、何にマークされているかを解析する。
【０１２７】
次に、Ｓ１３４では、ユーザがマークした設定項目があるかどうかを判定し、ユーザがマークした設定項目がなければ、目次シートＣＳを用いた複合機１０の設定を終了する。
【０１２８】
また、ユーザがマークした設定項目が１つ以上あれば、Ｓ１３５では、まず１つ目にマークされている設定項目について、設定を行う。
【０１２９】
図１８は、実施例２において、各種の設定情報を入力する設定情報入力シート毎に処理する動作（Ｓ１３５）を示すフローチャートである。
【０１３０】
Ｓ１３５で、ユーザがマークした１つ目の設定項目に関する各種設定情報入力シート毎の処理が終われば、Ｓ１３６で、ユーザがマークした設定項目が他にもあるかどうかをチェックする。ユーザがマークした設定項目があれば（残っていれば）、Ｓ１３５に戻り、次にマークされた設定項目について、処理する。そして、ユーザがマークした設定項目の設定が全て終了すれば（Ｓ１３６）、目次シートＣＳを使用した複合機１０の設定を終了する。
【０１３１】
次に、各種設定情報入力シート毎の処理について説明する。
【０１３２】
まず、Ｓ１６１では、目次シートＣＳで選択された設定項目（Ｓ１４１〜Ｓ１５０の中の１つ）の設定情報入力シートの１ページ目を作成し、印刷する。Ｓ１４１における無線ＬＡＮの設定情報入力シートの場合、図５に示すように、静的データと動的データとの両方を合成する必要がある。また、設定項目によっては、動的データを必要とせず、静的データのみで構成される設定情報入力シートもある。
【０１３３】
次に、Ｓ１６２では、印刷された設定情報入力シートに、ユーザが加筆し、続いて、Ｓ１６３では、加筆された設定方法入力シートを読み取り、解析し、この解析結果に基づいて、電子機器へ設定する。
【０１３４】
最後に、Ｓ１６４では、選択された設定項目（Ｓ１４１〜Ｓ１５０の中の１つ）について、設定が終了したかどうかを判定し、終了していなければ、Ｓ１６１で、次のページの設定情報入力シートを作成し、この作成した設定情報入力シートを印刷する。
【０１３５】
Ｓ１６４で、設定終了かどうかの判断がＹＥＳになるまで、Ｓ１６１〜Ｓ１６３を繰り返し、ＹＥＳになれば、選択された設定項目（Ｓ１４１〜Ｓ１５０の中の１つ）についての設定が終了する。
【０１３６】
次に、目次シートＣＳについて説明する。
【０１３７】
図１７に、実施例２において印刷された目次シートＣＳを示してあり、この目次シートＣＳは、複合機１０を設定することができる設定項目が、複数、列挙されている設定情報入力シートである。
【０１３８】
ユーザが、設定情報入力シートを用いて、複合機１０を設定する設定項目としては、Ｓ１４１〜Ｓ１５０に示す１０個の設定がある。ユーザは、Ｓ１４１〜Ｓ１５０の中から設定したい設定項目を、１つ以上マークする（Ｓ１３２）。そして、Ｓ１５１に書かれている手順で、目次シートＣＳを読み取る。
【０１３９】
次に、Ｓ１４１〜Ｓ１５０の各設定項目について説明する。
【０１４０】
Ｓ１４１の「無線ＬＡＮの設定」をマークすると、無線ＬＡＮを設定する。設定情報入力シートを用いた無線ＬＡＮの設定項目としては、ＳＳＩＤやＩＰアドレス等が挙げられる。詳しくは、実施例１において説明したものである。
【０１４１】
Ｓ１４２の「ＦＡＸの設定」をマークすると、ＦＡＸを設定する。設定情報入力シートを用いたＦＡＸの設定項目としては、電話帳や短縮ダイヤル等が挙げられる。詳しくは、特開平７−３２１９８９号公報に記載されている。
【０１４２】
Ｓ１４３の「コピーの設定」をマークすると、コピーを設定する。設定情報入力シートを用いたコピーの設定項目としては、枚数や倍率や用紙サイズや濃度やソートの種類等が挙げられる。詳しくは、特開平７−１３５５４５号公報、特開２００４−１７９７８０号公報に記載されている。
【０１４３】
Ｓ１４４の「複合機に接続されたデジタルカメラの設定」をマークすると、複合機１０に接続されたデジタルカメラを設定する。設定情報入力シートを用いたデジタルカメラの設定項目としては、記録画素数や圧縮率や記録形式やＩＳＯ感度やシャッタ音や起動音や液晶の明るさなどが挙げられる。
【０１４４】
Ｓ１４５の「スキャナの設定」をマークすると、スキャナを設定する。設定情報入力シートを用いたスキャナの設定項目としては、解像度や原稿サイズや記録形式などが挙げられる。このスキャナの設定は、たとえば、ＰＣ２０を使用せずに、読取部７で読み取った画像データを、ＵＳＢホスト制御部１４にＵＳＢインタフェースで接続されるメモリカードリーダ（不図示）に挿入されたメモリカード（不図示）に、直接書き込む際等に使われる。
【０１４５】
Ｓ１４６の「メモリカード内の画像データの印刷」をマークすると、メモリカード内の画像データの印刷を設定する。設定情報入力シートを用いた際の設定項目としては、用紙サイズや用紙タイプや縁なしや日付や画像選択等が挙げられる。詳しくは、特開２００２−１３７４９９号公報、特開２００２−３０５７０１号公報に記載されている。
【０１４６】
Ｓ１４７〜Ｓ１５０の「赤目補正処理」、「目元くっきり補正処理」、「美肌補正処理」、「逆光補正処理」をマークすると、メモリカード内の画像の各種補正処理（赤目補正、目元くっきり補正、美肌補正、逆光補正等）を設定する。
【０１４７】
次に、実施例２において、目次シートＣＳを使用した場合における複合機１０の設定方法について説明する。
【０１４８】
図１９は、実施例２において、目次シートＣＳを使用した場合に、複合機１０を設定するときに使用する目次シートＣＳの記入例を示す図である。
【０１４９】
まず、Ｓ１３１で、目次シートＣＳを印刷し、Ｓ１３２で、ユーザが加筆する。加筆された目次シートＣＳの例を、図１９に示してある。図１９において、無線ＬＡＮの設定（Ｓ１７１）と、スキャナの設定（Ｓ１７２）とがマークされている。
【０１５０】
次に、Ｓ１３３において、図１９に示す目次シートＣＳを読み取り、解析し、ユーザが無線ＬＡＮの設定とスキャナの設定を試みていることを認識する。
【０１５１】
続いて、Ｓ１３４では、ユーザが選択した設定項目（無線ＬＡＮの設定とスキャナの設定）があるので、Ｓ１３５へ進む。Ｓ１３５では、まず、無線ＬＡＮの設定を行う。無線ＬＡＮの設定が終わると、Ｓ１３６へ進み、ユーザが選択した設定項目が他にもあるかどうかをチェックする。図１９に示す例では、無線ＬＡＮの設定の他にスキャナの設定もマークされているので、Ｓ１３５で、再びスキャナを設定する。
【０１５２】
スキャナの設定が終われば、Ｓ１３６で、ユーザが選択した設定項目が他にもあるかどうかを再びチェックし、図１９に示す例では、無線ＬＡＮの設定とスキャナの設定との他にはマークされていないので、目次シートＣＳを用いた複合機１０の設定を終了する。
【０１５３】
なお、上記実施例は、無線ＬＡＮ対応の複合機であるが、他のあらゆる電子機器を設定する場合に、上記実施例を適用することができる。
【０１５４】
また、上記実施例は、設定情報入力シートを読み取る場合、ユーザが○印を塗りつぶした部分を認識するマークシート方式であるが、たとえば、設定情報入力シートにユーザが手書き文字で設定情報を加筆し、これを光学式文字読取方式（Ｏｐｔｉｃａｌ  Ｃｈａｒａｃｔｅｒ  Ｒｅａｄｅｒ：ＯＣＲ）によって読み取り、ユーザが記入した文字を認識し、電子機器の設定を行う方式に、上記実施例を適用するようにしてもよい。
【０１５５】
なお、上記実施例は、無線ＬＡＮ対応の複合機であるが、これに限らず、ユーザごとに設定項目や設定項目の内容が異なる電子機器の設定に利用でき、また、状況の変化に応じて設定項目や設定項目の内容が変化する全ての電子機器の設定に適用することができる。
【０１５６】
以下に、上記実施例を適用することができる電子機器の例を幾つか挙げる。
【０１５７】
複合機に限らず、無線ネットワークや有線ネットワークに接続することができる全ての電子機器のアクセスポイント等のネットワーク設定に有効である。たとえば、プリンタ、スキャナ、パソコン、ＰＤＡ等のＯＡ機器、エアコン、冷蔵庫、洗濯機等の情報家電のアクセスポイント等のネットワーク設定に有効である。
【０１５８】
また、テレビ、ラジオ等の放送受信である場合、ユーザの場所や時間によって視聴可能な番組が異なる特徴がある。また、有料放送である場合、ユーザ毎に、視聴可能な番組が異なる。このために、視聴予約可能な番組表は、ユーザ毎に異なり、したがって、上記実施例における設定情報入力シートを用いると、視聴予約を簡単に実行することができる。
【０１５９】
なお、上記実施例を、プログラムの発明として把握することができる。つまり、上記実施例は、電子機器の設定入力を行うプログラムにおいて、所定の設定項目について所定の設定情報を、設定情報入力作業者が加筆する設定情報入力シートを作成する設定情報入力シート作成手順と、上記設定情報入力シートを印刷する印刷手順と、上記設定情報入力作業者が加筆した上記設定情報入力シートを読み取り、記憶装置に記憶する読取手順と、上記読取手順で読み取った情報に基づいて、設定情報を解析し、記憶装置に記憶する設定情報解析手順と、上記解析された設定情報を、設定項目毎に識別し、上記電子機器を設定する電子機器設定手順と、上記設定情報解析手順が解析した設定情報に基づいて、上記設定を全て終了したかどうかを判断する設定終了判断手順と、上記設定終了判断手順で、上記設定を全て終了したと判断されたら、設定情報入力シートを用いた上記一連の設定を終了し、一方、上記設定を全て終了したと判断されなければ、次に設定すべき設定情報入力シートを、上記設定情報入力シート作成手順で作成させる制御手順とをコンピュータに実行させるプログラムの例である。
【図面の簡単な説明】
【０１６０】
【図１】本発明の実施例１である複合機１０が使用されている画像処理システム１００の全体の構成を示すブロック図である。
【図２】複合機１０の概略構成を示すブロック図である。
【図３】複合機１０とともに画像処理システム１００を構成する情報処理端末等のＰＣ２０の概略構成を示す図である。
【図４】画像処理システム１００を構成する無線ＬＡＮユニット３０の概略構成を示す図である。
【図５】設定情報入力シートによる無線ＬＡＮ設定の処理動作の概要を示すフローチャートである。
【図６】実施例１において、設定情報入力シートを作成する手順を示すフローチャートである。
【図７】印刷されたＷＬＡＮ設定ナビシートを示す図である。
【図８】印刷されたＷＥＰキー設定ナビシート（６４ｂｉｔ）の一例を示す図である。
【図９】ＷＥＰキー設定ナビシート（１２８ｂｉｔ）の一例を示す図である。
【図１０】ＩＰアドレス設定ナビシートの一例を示す図である。
【図１１】実施例１におけるＷＬＡＮ設定ナビシートの記入例を示す図である。
【図１２】ＷＥＰキー設定ナビシート（６４ｂｉｔ）の記入例を示す図である。
【図１３】ＩＰアドレス設定ナビシートの記入例を示す図である。
【図１４】設定情報入力シートを解析する手順を示すフローチャートである。
【図１５】設定終了かどうかを判断する手順を示すフローチャートである。
【図１６】本発明の実施例２の動作を示すフローチャートである。
【図１７】実施例２において印刷された目次シートＣＳを示す図である。
【図１８】実施例２において、各種の設定情報を入力する設定情報入力シート毎に処理する動作（Ｓ１３５）を示すフローチャートである。
【図１９】実施例２において、目次シートＣＳを使用した場合に、複合機１０を設定するときに使用する目次シートＣＳの記入例を示す図である。
【符号の説明】
【０１６１】
１００…画像処理システム、
１０…複合機、
２０…ＰＣ、
３０…無線ＬＡＮユニット、
ＡＰ１、ＡＰ２、ＡＰ３…アクセスポイント、
ＣＳ…目次シート。
【図１】
2006334907.tif 000003
【図２】
2006334907.tif 000004
【図３】
2006334907.tif 000005
【図４】
2006334907.tif 000006
【図５】
2006334907.tif 000007
【図６】
2006334907.tif 000008
【図７】
2006334907.tif 000009
【図８】
2006334907.tif 000010
【図９】
2006334907.tif 000011
【図１０】
2006334907.tif 000012
【図１１】
2006334907.tif 000013
【図１２】
2006334907.tif 000014
【図１３】
2006334907.tif 000015
【図１４】
2006334907.tif 000016
【図１５】
2006334907.tif 000017
【図１６】
2006334907.tif 000018
【図１７】
2006334907.tif 000019
【図１８】
2006334907.tif 000020
【図１９】
2006334907.tif 000021